【手続補正書】
【提出日】平成25年12月16日(2013.12.16)
【手続補正１】
【補正対象書類名】明細書
【補正対象項目名】００２５
【補正方法】変更
【補正の内容】
【００２５】
複数の充電スタンド２００Ａａ、ｂ、・・・（以下、充電スタンド２００Ａと総称する。）は、市町村Ａ内に設けられている。同様に、複数の充電スタンド２００Ｂａ、ｂ、・・・（以下、充電スタンド２００Ｂと総称する。）は、市町村Ｂ内に設けられている。同様に、複数の充電スタンド２００Ｃａ、ｂ、・・・（以下、充電スタンド２００Ｃと総称する。）は、市町村Ｃ内に設けられている。ここで、充電スタンド２００Ａ、Ｂ、Ｃ（以下、充電スタンド２００と総称する。）は、充電装置が設置された充電設備である。なおまた、市町村Ａ、Ｂ、Ｃ（以下、市町村と総称する。）は、この発明における「予め定められた範囲の地域」の一例であってよい。
【手続補正２】
【補正対象書類名】明細書
【補正対象項目名】００２９
【補正方法】変更
【補正の内容】
【００２９】
なおまた、充電スタンド２００Ａａ以外の充電スタンド２００Ａｂ、Ｂａ、Ｂｂ、Ｃａ、Ｃｂも、充電スタンド２００Ａａが有する構成要素と同じ構成要素を有してよい。以後の説明では、充電スタンド２００が有する構成要素がいずれの充電スタンド２００の構成要素であるかを区別する場合には、各構成要素を有する充電スタンド２００と同じ添え字（Ａａ、Ａｂ、Ｂａ、Ｂｂ、Ｃａ、Ｃｂ）を各構成要素の末尾に付して区別する。例えば、ソーラーパネル２１０Ａａ、ソーラーパネル２１０Ａｂ、及びソーラーパネル２１０Ｂａは、それぞれ充電スタンド２００Ａａ、充電スタンド２００Ａｂ、及び充電スタンド２００Ｂａの構成要素であることを示す。
【手続補正３】
【補正対象書類名】明細書
【補正対象項目名】００３２
【補正方法】変更
【補正の内容】
【００３２】
図３は、充電スタンド２００の構成の他の例を示す。本実施の形態の充電スタンド２００には、充電スタンド装置１３０、ソーラーパネル２１０、配電盤２３０、複数の充電装置２４１〜２４３、及び複数の自動精算機２５１〜２５３が設けられている。充電スタンド装置１３０は、配電盤２３０、及び各自動精算機２５１〜２５３とそれぞれ通信接続されている。また、充電装置２４１は、自動精算機２５１と通信接続されている。同様に、充電装置２４２は、自動精算機２５２と通信接続されている。同様に、充電装置２４３は、自動精算機２５３と通信接続されている。また、配電盤２３０は、ソーラーパネル２１０、各充電装置２４１〜２４３、及び電力系統とそれぞれ電線を介して接続されている。これら各構成要素の機能及び動作は、それぞれ図２に示す実施の形態における充電スタンド２００における、対応する構成要素の機能及び動作と同一であるから説明を省略する。
【手続補正４】
【補正対象書類名】明細書
【補正対象項目名】００３３
【補正方法】変更
【補正の内容】
【００３３】
図４は、充電スタンド２００の構成の更に他の例を示す。本実施の形態の充電スタンド２００には、充電スタンド装置１３０、二次電池２２０、配電盤２３０、複数の充電装置２４１〜２４３、及び複数の自動精算機２５１〜２５３が設けられている。充電スタンド装置１３０は、配電盤２３０、及び各自動精算機２５１〜２５３とそれぞれ通信接続されている。また、充電装置２４１は、自動精算機２５１と通信接続されている。同様に、充電装置２４２は、自動精算機２５２と通信接続されている。同様に、充電装置２４３は、自動精算機２５３と通信接続されている。また、配電盤２３０は、二次電池２２０、各充電装置２４１〜２４３、及び電力系統とそれぞれ電線を介して接続されている。これら各構成要素の機能及び動作は、それぞれ図２に示す実施の形態における充電スタンド２００における、対応する構成要素の機能及び動作と同一であるから説明を省略する。
【手続補正５】
【補正対象書類名】明細書
【補正対象項目名】００４４
【補正方法】変更
【補正の内容】
【００４４】
利用者ＩＤは、充電システム１００の利用者の中で各利用者を一意に識別するための識別符号である。名前は、利用者ＩＤによって識別される利用者の氏名である。メールアドレスは、利用者ＩＤによって識別される利用者に電子メールを送るために使われる住所である。
【手続補正６】
【補正対象書類名】明細書
【補正対象項目名】００５０
【補正方法】変更
【補正の内容】
【００５０】
一方、充電管理装置１１０の交換価値調節部１１３は、各市町村Ａ〜Ｃにおける系統電力の使用率を示すデータを系統電力情報取得部１１１から受け取ると、交換価値情報格納部１１６に格納されている情報のうち、系統電力情報取得部１１１から受け取ったデータによって示される市町村Ａにおける系統電力の使用率に該当する使用率（％）の情報と対応付けて格納されている充電料金の単価（円／ｋＷｈ）、及びポイント付与量（点／ｋＷｈ）の各情報を読み出す。そして、交換価値調節部１１３は、その充電料金の単価（円／ｋＷｈ）、及びポイント付与量（点／ｋＷｈ）を新たな充電料金の単価、及びポイントの付与量として設定するよう調整する調整データを、市町村Ａ内の各充電スタンド２００内に設けられた充電スタンド装置１３０Ａへ送信する（Ｓ１０５）。同様に、交換価値調節部１１３は、交換価値情報格納部１１６に格納されている情報のうち、系統電力情報取得部１１１から受け取ったデータによって示される市町村Ｂにおける系統電力の使用率に該当する使用率（％）の情報と対応付けて格納されている充電料金の単価（円／ｋＷｈ）、及びポイント付与量（点／ｋＷｈ）の各情報を読み出す。そして、交換価値調節部１１３は、その充電料金の単価（円／ｋＷｈ）、及びポイント付与量（点／ｋＷｈ）を新たな充電料金の単価、及びポイントの付与量として設定するよう調整する調整データを、市町村Ｂ内の各充電スタンド２００内に設けられた充電スタンド装置１３０Ｂへ送信する。同様に、交換価値調節部１１３は、交換価値情報格納部１１６に格納されている情報のうち、系統電力情報取得部１１１から受け取ったデータによって示される市町村Ｃにおける系統電力の使用率に該当する使用率（％）の情報と対応付けて格納されている充電料金の単価（円／ｋＷｈ）、及びポイント付与量（点／ｋＷｈ）の各情報を読み出す。そして、交換価値調節部１１３は、その充電料金の単価（円／ｋＷｈ）、及びポイント付与量（点／ｋＷｈ）を新たな充電料金の単価、及びポイントの付与量として設定するよう調整する調整データを、市町村Ｃ内の各充電スタンド２００内に設けられた充電スタンド装置１３０Ｃへ送信する。また、交換価値調節部１１３は、これら新たな充電料金の単価、及びポイントの付与量を示すデータを交換価値データ送信部１１５へ送る。この調整データを受信した充電スタンド装置１３０は、そのデータによって示される新たな充電料金の単価、及びポイントの付与量を、自動精算機２５１〜２５３に設定する。このようにして、自動精算機２５１は、新たな充電料金の単価、及びポイントの付与量を以て、充電料金を清算したり、ポイントサービスのポイントを付与したりすることになる。
【手続補正７】
【補正対象書類名】明細書
【補正対象項目名】００５１
【補正方法】変更
【補正の内容】
【００５１】
充電管理装置１１０の交換価値データ送信部１１５は、各市町村Ａ〜Ｃ内の各充電スタンド２００における新たな充電料金の単価、及びポイントの付与量の各情報を示すデータを交換価値調節部１１３から受け取ると、そのデータによって示される情報を、利用者情報格納部１１７に格納されている利用者のメールアドレス宛に電子メールを送信する（Ｓ１０６）。このようにして、電気自動車の利用者は、充電管理装置１１０から送信された電子メールを利用者装置１５０により受信して閲覧することによって、各市町村Ａ〜Ｃ内の各充電スタンド２００における新たな充電料金の単価、及びポイントの付与量の各情報を知ることができる。
【手続補正８】
【補正対象書類名】明細書
【補正対象項目名】００５３
【補正方法】変更
【補正の内容】
【００５３】
充電スタンド２００は、図２から図５に示す実施の形態のうち、いずれかの形態をとっている。そして、図９の動作フローのステップＳ１０４の処理に関連して説明したとおり、系統電力情報取得部１１１から受け取ったデータによって示される系統電力の使用率が例えば７０（％）以上の市町村がある場合、充電装置制御部１１２は、系統電力よりも非系統電力を優先的に電気自動車への充電に供させるよう命令する制御データを、その市町村内の各充電スタンド２００に設けられた各充電スタンド装置１３０へ送信する。そして、充電スタンド装置１３０は、この制御データにしたがって、非系統電力が充電装置２４１〜２４３へ供給されるように、配電盤２３０の電気系統を切換制御する。しかしながら、図５に示すように充電スタンド２００にソーラーパネル２１０も二次電池２２０も設けられていない場合、その充電スタンド２００は、非系統電力を充電装置２４１〜２４３へ供給することはできない。また、図２〜図４に示すように充電スタンド２００にソーラーパネル２１０や二次電池２２０が設けられていたとしても、ソーラーパネル２１０が発電できない状態にあったり、二次電池２２０が充電されていなかったりした場合、やはり、その充電スタンド２００は、非系統電力を充電装置２４１〜２４３へ供給することはできないことになる。このような場合、その充電スタンド２００に設けられた充電スタンド装置１３０は、命令された制御に対応することができない旨を通知する通知データを充電管理装置１１０へ送信する。そして、充電スタンド装置１３０は、新たな制御データを受信するまでの間、電力系統から供給される系統電力が充電装置２４１〜２４３へ供給されるように、配電盤２３０の電気系統を切換制御する。
【手続補正９】
【補正対象書類名】明細書
【補正対象項目名】００５５
【補正方法】変更
【補正の内容】
【００５５】
充電装置制御部１１２は、充電スタンド装置１３０を識別するデータを対応不可通知データ受信部１１４から受け取ると、系統電力と非系統電力のいずれの電力も供させないように命令する制御データを、対応不可通知データ受信部１１４から受け取ったデータによって識別される充電スタンド装置１３０へ送信する（Ｓ２０４）。この制御データを受信した充電スタンド装置１３０は、充電装置２４１〜２４３へ電力が供給されないように、配電盤２３０の電気系統を切換制御する。このようにして、充電管理装置１１０による制御に対応できない充電スタンド２００は、充電機能を停止することになる。
【手続補正１０】
【補正対象書類名】明細書
【補正対象項目名】００５８
【補正方法】変更
【補正の内容】
【００５８】
交換価値データ送信部１１５は、新たな充電料金の単価、及びポイントの付与量の各情報を示すデータを交換価値調節部１１３から受け取ると、そのデータによって示される情報を、利用者情報格納部１１７に格納されている利用者のメールアドレス宛に電子メールを送信する（Ｓ２０５）。このようにして、電気自動車の利用者は、充電管理装置１１０から送信された電子メールを利用者装置１５０により受信して閲覧することによって、充電料金の単価、及びポイントの付与量が変更されても、リアルタイムに把握することができる。